(57)【要約】【課題】伸縮門扉のサイズに関わらず使用することができ、門扉に無理な力をかけたり不完全伸長が生じない伸縮門扉のストッパーを提供する。【解決手段】吊り元側支柱と戸当たり側支柱との間に設置された門扉レール６上を開閉方向に走行する伸縮門扉Ａにおいて、伸縮門扉Ａの吊り元側端部の開閉時移動距離を規制するストッパーＢであって、停止金具３１の取付位置を伸縮門扉の走行方向に沿う複数個所に設けた基体１０と、基体１０を、門扉レール６に対し、門扉レール６の長手方向の任意の位置に取付ける設置金具２１，２２とからなる。基体１０の前後両端にそれぞれバー状の設置金具２１，２２が取付けられており、その左右両端には、門扉レール６の側面に当接する接触面部２３，２４がそれぞれ形成されており、かつ一方の接触面部２３には門扉レール６に対し押し付ける押付けボルト２８が螺合されている。【選択図】図１
2010189989.tif 000002
【特許請求の範囲】
【請求項１】
吊り元ストッパーと戸当たり側支柱との間に設置された門扉レール上を開閉方向に走行する伸縮門扉において、該伸縮門扉の吊り元側端部の開閉時移動距離を規制するストッパーであって、
停止金具と、
該停止金具の取付位置を、伸縮門扉の走行方向に沿う複数個所に設けた基体と、
該基体を、前記門扉レールに対し、該門扉レールの長手方向の任意の位置に取付ける設置金具とからなる
ことを特徴とする伸縮門扉のストッパー。
【請求項２】
前記基体が長方形状であり、
該基体の前後両端にそれぞれ設置金具が取付けられており、
該設置金具の左右両端には、前記門扉レールの側面に当接する接触面部がそれぞれ形成されており、かつ一方の接触面部には前記門扉レールに対し押し付ける押付けボルトが螺合されている
ことを特徴とする請求項１記載の伸縮門扉のストッパー。
【請求項３】
前記基体が、左右一対の板材からなり、
各板材は上横板部と縦板部と下横板部とからなり、
前記左右の板材の各上横板部を互いに対向させ、かつ間隔をあけて前記設置金具に取付けたものであり、
前記各上横板部に、その長手方向に沿って、前記停止金具をボルト止めする孔を複数ヵ所形成している
ことを特徴とする請求項２記載の伸縮門扉のストッパー。
【発明の詳細な説明】
【技術分野】
【０００１】
本発明は、伸縮門扉のストッパーに関する。さらに詳しくは、門扉自体が伸縮することによって門を開閉する伸縮門扉において、伸縮門扉の閉成時に使われるストッパーに関する。
【背景技術】
【０００２】
従来の伸縮門扉として特許文献１に記載のものがある。
この従来例１の伸縮門扉を図７および図８に基づき説明する。
伸縮門扉103は、両門柱101,102間の地面に敷設された門扉レール104に沿って開閉方向に伸縮し、収縮状態では吊り元門柱101内に収納されるようになっている。伸縮門扉103は、開閉方向の両端に配置された上下方向の端枠105,106と、この端枠105,106間に開閉方向において等間隔に上下方向に配置された複数本の縦枠107と、各縦枠107および端枠105,106を連結する開閉方向に伸縮自在なパンタグラフ機構108とを備えている。
【０００３】
吊り元門柱101側の端枠105は、移動用ローラー112を回動自在に備え、この移動用ローラー112が吊り元門柱101内に上下配置された支持レール113に沿って開閉方向に転動して、吊り元側端枠105が吊り元門柱101内を開閉方向に移動するようになっている。そして、吊り元門柱101内において支持レール113の開閉方向の両端には、開閉方向への移動を規制するストッパー114a,114bがそれぞれ設けられている。このため、伸縮門扉103が縮小して吊り元門柱101内に収納されたとき端枠105は奥側のストッパー114aに当って止まり、伸縮門扉103が伸長して戸当たり門柱102まで伸びたとき、端枠105は出側のストッパー114bに当って、吊り元門柱101から外に出ないようにされている。換言すれば、出側のストッパー114bによって、門の間口が伸縮門扉103によって、完全に閉じられることが保証されている。このような伸縮門扉は、門扉の吊り元側を収納時の門扉長さ分だけ移動することにより、伸長時の長さが門の開口幅と同じであれば足りるので、伸縮門扉を小型化でき、効果的に間口を閉成状態にすることができる。
【０００４】
上記従来例１では、吊り元門柱101内に奥側と出側のストッパー114a,114bを取付けたが、そうする代りに、吊り元門柱101内の地面上にストッパーを設置する従来例２もあった。図９に示すように、この従来例２では地面上に設置した２本の門扉レール104の間に長方体状の基体201を設置し、基体201は左右２本の板材からなり、中央には間隔があいている。この基体201の後端には奥側ストッパー204aが取付けられ、先端には、出側ストッパー204bが取付けられている。そして、基体201は、長さの異なるものが数種類用意されている。それは、伸縮門扉自体が門の間口に合わせて長さの異なるものが数種類あり、それに合わせて収縮時の門扉長さも異なってくるからである。
【０００５】
上記のストッパー構造における基体201は、２本の門扉レール104の間にモルタルで固定されている。奥側ストッパー204aも出側ストッパー204bも基体201の両端部に固定されているので、当然に、両ストッパー間の間隔は基体201の長さに応じた間隔をもっているが、間隔の変更はできず固定されたものである。
【０００６】
ところで、上記従来例１，２はつぎのような問題がある。
従来例１において、二つのストッパー114a,114bが現場施工で取付けるものであると、施工性が悪くなる。そのため、従来例１でも寸法的に規格化し数種類のユニットを予め用意しておくことが行われた。この場合、従来例２と同様なユニットとして施工される。
しかしながら、ユニット化された従来例１，２では、サイズの異なる門扉の収縮幅に応じて、長さの異なるストッパーユニットを用意しなければならないため、部品管理が煩わしく、在庫数量も増えるという問題がある。
【０００７】
また、従来例１，２では、伸縮門扉103を伸長させ出側ストッパー114b,204bによってストップさせた際（門扉の閉成状態）、門扉の収縮幅とストッパー位置とが完全に合っていないことが生じ、伸縮門扉が完全に伸長していなかったり、無理に伸長する場合があった。完全に伸長していない場合には、伸縮門扉の伸長方向に遊び（ガタ）が生じて縦枠の間隔が均等にならず、外観上の見映えが悪く、製品の品質自体が劣るかのような印象を与えるものであった。一方、無理に伸長する場合は、閉成する際に門扉を無理に伸ばすことになり、円滑な閉成操作が行えず、門扉部材に無理な力が加わって、耐久性を低下させるという問題が生じるものであった。
【先行技術文献】
【特許文献】
【０００８】
【特許文献１】特開２００２−１９４９７７号公報
【発明の概要】
【発明が解決しようとする課題】
【０００９】
本発明は上記事情に鑑み、伸縮門扉のサイズに関わらず使用することができ、門扉部材に無理な力をかけたり不完全伸長が生じない伸縮門扉のストッパーを提供することを目的とする。
【課題を解決するための手段】
【００１０】
第１発明の伸縮門扉のストッパーは、吊り元ストッパーと戸当たり側支柱との間に設置された門扉レール上を開閉方向に走行する伸縮門扉において、該伸縮門扉の吊り元側端部の開閉時移動距離を規制するストッパーであって、停止金具と、該停止金具の取付位置を、伸縮門扉の走行方向に沿う複数個所に設けた基体と、該基体を、前記門扉レールに対し、該門扉レールの長手方向の任意の位置に取付ける設置金具とからなることを特徴とする。
第２発明の伸縮門扉のストッパーは、第１発明において、前記基体が長方形状であり、該基体の前後両端にそれぞれ設置金具が取付けられており、該設置金具の左右両端には、前記門扉レールの側面に当接する接触面部がそれぞれ形成されており、かつ一方の接触面部には前記門扉レールに対し押し付ける押付けボルトが螺合されていることを特徴とする。
第３発明の伸縮門扉のストッパーは、第２発明において、前記基体が、左右一対の板材からなり、各板材は上横板部と縦板部と下横板部とからなり、前記左右の板材の各上横板部を互いに対向させ、かつ間隔をあけて前記設置金具に取付けたものであり、前記各上横板部に、その長手方向に沿って、前記停止金具をボルト止めする孔を複数ヵ所形成していることを特徴とする。
【発明の効果】
【００１１】
第１発明によれば、ストッパーの基体を設置金具によって門扉レールの長手方向における任意の位置に設置できるので、伸縮門扉のサイズに関わりなく同一仕様のストッパーを使用することができる。このため、部品管理が容易になり施工も簡単となる。また、門扉レールに対する基体の設置位置を選択することと、基体への停止金具の取付位置を複数個所のうちから最適位置を選択することで、伸縮門扉が無理なく完全に伸長するように、伸縮門扉の伸長具合を調節することができる。
第２発明によれば、２本の設置金具は、いずれも両端の接触面部を２本の門扉レールに沿わせると、門扉レールに対し略直角に設置できる。そのうえで、一端側の押付ボルトを門扉レール側に螺進させると、他端側の接触面部が門扉レールの側面に密着する。このようにして、２本の設置金具の２カ所の接着面部が門扉レールの側面に密着すると、設置金具は門扉レールに対し正確に直角になるので、基体は門扉レールに対し正確に位置決めできる。
第３発明によれば、基体を構成する左右の上横板部の間に空間が生じ、その空間を横切るように停止金具を取付けるので、伸縮門扉側の留め金具が当ると、力が左右に分散される。このため、伸縮門扉の衝突によってもストッパーの位置ズレが生じにくい。また、左右一対の板材は停止金具で互いに結合されるので、剛性が高くなる。
【図面の簡単な説明】
【００１２】
【図１】本発明の一実施形態に係るストッパーの平面図である。
【図２】図１のストッパーの正面図である。
【図３】図１のストッパーの側面図である。
【図４】図２のストッパーの拡大図である。
【図５】本発明のストッパーが適用された伸縮門扉の平面図である。
【図６】図５の伸縮門扉の側面図である。
【図７】従来例１の伸縮門扉の側面図である。
【図８】従来例１の吊り元門柱101内の平面拡大図である。
【図９】従来例２の斜視図である。
【発明を実施するための形態】
【００１３】
つぎに、本発明の実施形態を図面に基づき説明する。
図５および図６において、Ａは本発明が適用される伸縮門扉であって、両端に戸当たり枠１と吊り元枠２を設け、それらの間に複数本の縦枠３が立てられ、これらがパンタグラフ４で互いに連結されている。戸当たり枠１と吊り元枠２および適数本の縦枠３の下端にはローラー５が回転自在に軸支され、地面に設置された門扉レール６上を走行するようになっている。これらの構成は公知であって、伸縮門扉Ａはパンタグラフ４によって伸縮し、門を開閉できるようになっている。
【００１４】
図中左側の符号７は戸当たり支柱であって、地面に固定されている。伸縮門扉Ａの戸当たり枠１とは、内蔵の錠によってロックできるようになっている。
図中右側の符号Ｂは本発明に係るストッパーである。レール６の終端には吊り元ストッパー８が設けられている。この吊り元ストッパー８は伸縮門扉Ａの開成時に吊り元枠２が当って停止位置を規制するものである。
【００１５】
つぎに図１〜４に基づき、前記ストッパーＢを説明する。
図１および図２において、１０は基体であり、左右一対の板材１１，１１からなる。各板材１１は、上横板部１２、縦板部１３および下横板部１４からなり、これらは１枚の金属板を曲げ加工して形成されている。なお、２枚あるいは３枚の金属板を溶接等で接合したものであってもよい。
そして、左右の板材１１，１１は、互いの上横板部１２，１２を向き合わせ、かつ間隔をあけて配置されている。
【００１６】
前記基体１０の左右の上横板部１２，１２には、長手方向に沿って等間隔にボルト孔１５が穿孔されている。図示の実施形態では、ボルト孔１５は４ヵ所であるが、２〜３ヵ所でもよく、５ヵ所以上であってもよい。
そして、上記ボルト孔１５には、停止金具３１をボルトで固定できるようになっている。停止金具３１は棒状の金具で、向き合っている２枚の上横板部１２，１２に渡し掛ける長さの部材である。この停止金具３１を任意のボルト孔１５にボルトで固定すると、図２に示すように、左右の板材１１，１１の上部は閉じられて、断面視で門形となる。なお、符号Ｇは地面を示している。
【００１７】
図１に示すように、前記基体１０は平面視で長方形状であり、その前後両端には、設置金具２１，２２が取付けられている。具体的には、板材１１の下横板部１４，１４の両端部が、ボルト等で設置金具２１，２２の中央部に固定されている。設置金具２１，２２は、バー状であり、基体１０の長手方向に対し直角に延びている。したがって、基体１０と２本の設置金具２１，２２は平面視で略Ｈ形となっている。
【００１８】
図４に示すように、前記設置金具２１，２２は細長い金属板であり、その両端には、接触面部２３，２４が形成されている。それぞれの接触面部は、本体から立上る立壁２５と立壁２５の上端から水平に外側に延びる横片２６からなる。また、一方の接触面部２３の立壁２５には押付けボルト２８が螺合されている。他方の接触面部２４には押付けボルトは設けられていない。
【００１９】
つぎに、上記構造のストッパーＢの設置方法を説明する。
本発明のストッパーＢは２本の門扉レール６，６に直接取付けるので、門扉レールの構造を図４に基づき説明しておくと、つぎのとおりである。
門扉用レール６は、中央底面６１と、中央底面６１一側より斜め上方に立ち上がる傾斜面６２と、傾斜面上端に突出させた見切り縁６３と、中央底面６１他側から立ち上がる立面６４と、立面６４上端から内方に折曲した係合金具と係合する被係合面６５と、被係合面６５より外方に水平に折り返され門扉ローラーが転動するローラー走行面６７を備えている。
【００２０】
図１および図４は取付完了状態であるが、取付け初めには、設置金具２１，２２を２本の門扉レール６，６に対し、概ね直角になるように配置し、両端の接触面部２３，２４を門扉レール６，６の側面にほぼ平行になるように沿わせる。このとき、いずれの接触面部２３，２４も、門扉レール６の内側に嵌り、その側面（立面６４）に直面し、横片２６，２６は門扉レール６の被係合面６５に載っている。
【００２１】
つぎに、図４に示す２本の設置金具２１，２２の一端側の押付けボルト２８をねじ込むと、他端側の接触面部２４の立壁２５が門扉レール６の側面（立面６４）に密着するので、２本の設置金具２１，２２は、いずれも門扉レール６，６に対し正確に直角を保って取付けられる。また、押付けボルト２８のねじ込み力を適正に強めると、２本の設置金具２１，２２は、２本の門扉レール６，６内で突っ張って、強固に固定される。さらに、基体１０の下部と設置金具２１，２２は、門扉レール６と共に、モルタル等によって埋設され、強固に固定される。
【００２２】
このように設置金具２１，２２が固定された状態では、図１に示すように、基体１０の長手方向は門扉レール６に対し平行となっている。したがって、２本の板材１１，１１の間の隙間も当然に門扉レール６に対し平行であって、門扉レール６上を走行する伸縮門扉Ａの走行方向に対しズレは生じない。
【００２３】
上記の要領によるストッパーＢの門扉レール６，６への取付けは、門扉レール６の長手方向において任意の位置で行え、しかも連続的に任意の位置を選択できる。
さらに、停止金具３１の基体１０への取付位置も長手方向の複数個所（本実施形態では４ヵ所）から任意に選択できる。このため、伸縮門扉Ａの吊り元側の停止位置は自由に選択することができる。
【００２４】
図３は伸縮門扉Ａの収納時と引出し時（門の閉成時）の停止位置Ｉ，IIを示している。同図において、３３は吊り元枠２に固定されている端枠であり、その下端に留め金具３２が固定されている。伸縮門扉Ａの収納時には、端枠３３が門扉レール６の末端に設けたクッションゴム製の吊り元ストッパー８に当って停止する。伸縮門扉Ａの引出し時には、前記留め金具３２が基体１０の中央の隙間に進入して移動する。そして、戸当たり枠１を完全に引き出した状態で、留め金具３２が基体１０に取付けている停止金具３１に当って停止する。
このとき、戸当たり枠１は戸当たり柱に錠でロックされ、吊り元枠２は停止金具３１で止められて、伸縮門扉Ａには適度なら引張り力が働いた状態で伸長することになる。そして、この状態で門が閉止される。
【００２５】
図４に示すごとく留め金具３２が基体１０の中央の隙間ｇに進入する際、この隙間ｇは門扉レール６に対し平行になっているので、留め金具３２が左右の板材１１，１１に接触するような不都合は避けられる。
【００２６】
また、留め金具３２が停止金具３１に当ったとき、その力は左右の板材１１，１１に均等に分散され、かつ２本の設置金具２１，２２にも横方向に均等に分散される。このように、力が集中しないのでストッパーＢの位置ズレも生じにくい。しかも、左右一対の板材１１，１１は停止金具３１で互いに結合されているので、基体１０自体の剛性も高く、そのため薄い金属板で構成することができる。
【００２７】
既述のごとく本実施形態では、伸縮門扉Ａの吊り元側の停止位置は自由に選択することができる。すなわち、伸長した門扉が過度に緊張している場合、停止金具の取付位置を戸当たり側に変更し、伸縮門扉Ａの閉成時に、門扉を無理に引き伸ばさなくても閉めることができる。また、門扉の長さが余って縦枠３，３間の間隔にバラツキが生じている場合、停止金具の取付位置を吊り元側に変更し、適度な長さに門扉を伸長することができる。換言すれば、門扉を適正な長さに引き伸ばした状態で門を閉止でき、伸縮門扉Ａの各部の品質を長寿命化でき、縦枠３，３が等間隔に揃う美しい美感を呈することができる。
【符号の説明】
【００２８】
１        戸当たり枠
２        吊り元枠
３        縦枠
６        門扉レール
１０        基体
１１        板材
２１，２２  設置金具
２３，２４  接触面部
２８        押付けボルト
３１        停止金具
３２        留め金具
【図１】
2010189989.tif 000003
【図２】
2010189989.tif 000004
【図３】
2010189989.tif 000005
【図４】
2010189989.tif 000006
【図５】
2010189989.tif 000007
【図６】
2010189989.tif 000008
【図７】
2010189989.tif 000009
【図８】
2010189989.tif 000010
【図９】
2010189989.tif 000011